(57)【要約】【課題】記録装置において、ＥＰＧが有する番組情報とユーザが入力した嗜好情報に基づき番組を録画予約する際に、ユーザが予約内容を確認し、編集し、また削除する操作を容易にする。【解決手段】ユーザが嗜好情報を入力するための番組検索用画面を表示した状態で、録画予約された番組を示す例えば一覧表を表示するようにする。ユーザは番組検索設定を終了せずに録画予約の内容を確認できるため、使い勝手を向上することができる。また、予約内容の編集や削除も番組検索設定の状態で容易に行うことができる。【選択図】図１３
2012195637.tif 000002
【特許請求の範囲】
【請求項１】
放送する番組の放送予定と該番組の内容を示す番組情報を伴う放送番組を記録する記録装置であって、
前記放送番組に係る放送信号を受信して復調する受信復調部と、
該受信復調部で復調して得た復調信号が供給され、該復調信号を処理して表示するための映像信号を生成する映像処理部と、
前記受信復調部で復調して得た復調信号が供給され、該復調信号を処理して記録媒体に記録する記録部と、
前記記録装置の動作を制御する制御部を有し、
該制御部は、
前記受信復調部で復調して得た復調信号が供給され、該復調信号から前記番組情報を抽出し、該番組情報に応じて所定の表示フォーマットに基づく番組表を作成して前記映像処理部に供給する電子番組情報管理部と、
前記受信復調部で復調して得た復調信号と前記記録装置のユーザが作成したキーワードをはじめとする検索情報が供給され、前記ユーザが前記検索情報を供給する際に用いる所定の表示フォーマットに基づく表示画像を生成して前記映像処理部に供給し、前記番組情報を前記復調信号から抽出し前記検索情報を参照して前記記録部に記録する放送番組を選択する番組検索処理部と、
該番組検索処理部で選択された放送番組を前記番組検索処理部が生成した表示画像内に表示するための所定の表示フォーマットに基づく表示画像を生成して前記映像処理部に供給する予約管理部
を備えることを特徴とする記録装置。
【請求項２】
請求項１に記載の記録装置において、前記予約管理部が前記表示画像を生成して前記映像処理部に供給した表示画像を使用し、前記番組検索処理部で選択された放送番組の前記記録部への記録に係る情報を編集する編集機能を有することを特徴とする記録装置。
【請求項３】
請求項２に記載の記録装置において、前記番組検索処理部で選択された放送番組の前記記録部への記録に係る情報が編集されたか否かを示す表示を、前記予約管理部が生成した前記表示画像に表示することを特徴とする記録装置。
【請求項４】
請求項２に記載の記録装置において、前記編集機能は、前記番組検索処理部で選択された放送番組を削除し、或いは新たな放送番組を追加する機能を含むことを特徴とする記録装置。
【請求項５】
請求項１に記載の記録装置において、前記予約管理部が前記表示画像を生成して前記映像処理部に表示画像を供給する場合には、前記番組検索処理部は、前記記録部に記録する放送番組を前記予約管理部が生成した表示画像に基づいてユーザが確定するための表示を、前記表示画像に表示することを特徴とする記録装置。
【請求項６】
請求項１に記載の記録装置において、前記映像処理部が生成した映像信号が供給され該映像信号に基づく映像を表示する映像表示部を有することを特徴とする記録装置。
【請求項７】
テレビジョン放送の番組を検索して録画するための記録装置において、
ユーザが指定した検索条件で番組を検索するための検索画面を画面上に表示し、前記検索画面で検索された番組について、全記録装置を操作するためのリモコン上の所定キーを操作することによって、録画予約するように構成したことを特徴とする記録装置。
【発明の詳細な説明】
【技術分野】
【０００１】
本発明は記録装置に係り、特に放送番組を録画予約する際の利便性を向上した記録装置に関するものである。
【背景技術】
【０００２】
ディジタル放送の時代を迎え、伝送されたストリームのまま、或いはデータ圧縮して放送番組を記録するための記録装置や、該記録装置を内蔵したテレビジョンの普及が進んでいる。地上ディジタル放送、ＢＳ放送、ＣＳ放送と放送の種類が増加し、放送番組自体も増加したにより、記録する番組を簡単に検索して録画予約する方法が望まれている。
特許文献１においては、ユーザの嗜好に合った番組を迅速に記録できるようにするため、予め生成されたユーザの嗜好情報と放送番組情報（ＥＰＧ；Electronic Program Guide）に基づき、録画予約リストを作成して記録処理を行う方法が開示されている。
【先行技術文献】
【特許文献】
【０００３】
【特許文献１】特開２００６−５０６６２号公報
【発明の概要】
【発明が解決しようとする課題】
【０００４】
特許文献１に係る記録装置は既に市場で知られているが、ユーザにとっての使い勝手のうえでは、さらに改善すべき課題がある。例えば、ユーザが好むジャンルや登場人物の名前をキーワードとして入力し、録画予約を行う場合を考える。
現状では、表示された番組検索画面にキーワードを入力すると、既に受信したＥＰＧが有する番組情報を参照しながら、記録装置が前記キーワードを有する放送番組を検索し、キーワードがヒットした放送番組を録画予約する。
【０００５】
この際に、キーワードがヒットした放送番組の内容がユーザの期待する内容でなかったとしても自動的に記録が行われ、容量に限りのある記録媒体が無駄に使われることがある。
さらに、ＥＰＧのメタデータには登場人物の全てが登録されているわけではなく、また愛称で登録されていることもあるため、ユーザが期待する放送番組が検索結果から抜け落ちる可能性もある。この場合、ユーザが先見的にその番組を知っていたとしても、録画予約から外れることになる。
【０００６】
現状では、これらの問題を解消するには録画予約した番組の一覧表を表示して録画予約の内容をチェックしたうえで、場合によっては録画予約を取消し或いは追加する必要がある。しかし、番組検索画面から別な表示画面に切換える手間を要する点で、使い勝手のうえでの問題があった。
本発明の目的は前記した問題に鑑み、放送番組を録画予約する際の利便性を向上した記録装置を提供することにある。
【課題を解決するための手段】
【０００７】
前記課題を解決するため本発明は、放送する番組の放送予定と該番組の内容を示す番組情報を伴う放送番組を記録する記録装置であって、
前記放送番組に係る放送信号を受信して復調する受信復調部と、該受信復調部で復調して得た復調信号が供給され、該復調信号を処理して表示するための映像信号を生成する映像処理部と、前記受信復調部で復調して得た復調信号が供給され、該復調信号を処理して記録媒体に記録する記録部と、前記記録装置の動作を制御する制御部を有し、
該制御部は、前記受信復調部で復調して得た復調信号が供給され、該復調信号から前記番組情報を抽出し、該番組情報に応じて所定の表示フォーマットに基づく番組表を作成して前記映像処理部に供給する電子番組情報管理部と、
前記受信復調部で復調して得た復調信号と前記記録装置のユーザが作成したキーワードをはじめとする検索情報が供給され、前記ユーザが前記検索情報を供給する際に用いる所定の表示フォーマットに基づく表示画像を生成して前記映像処理部に供給し、前記番組情報を前記復調信号から抽出し前記検索情報を参照して前記記録部に記録する放送番組を選択する番組検索処理部と、
該番組検索処理部で選択された放送番組を前記番組検索処理部が生成した表示画像内に表示するための所定の表示フォーマットに基づく表示画像を生成して前記映像処理部に供給する予約管理部を備えることを特徴としている。
【発明の効果】
【０００８】
本発明によれば、放送番組を録画予約する際の利便性を向上した記録装置を提供でき、ユーザにとっての使い勝手の向上に寄与できるという効果がある。
【図面の簡単な説明】
【０００９】
【図１】本発明の一実施例における記録装置のブロック図である。
【図２】本発明の一実施例で用いるリモコンの平面図である。
【図３】本発明の一実施例における記録装置の制御部の部分ブロック図である。
【図４】本発明の一実施例における番組検索画面の第１例を示す図である。
【図５】本発明の一実施例における番組検索画面の第２例を示す図である。
【図６】本発明の一実施例における番組検索画面の第３例を示す図である。
【図７】本発明の一実施例における番組検索画面の第４例を示す図である。
【図８】本発明の一実施例における番組検索画面の第５例を示す図である。
【図９】本発明の一実施例における番組検索画面の第６例を示す図である。
【図１０】本発明の一実施例における文字入力画面の例を示す図である。
【図１１】本発明の一実施例における番組検索画面の第７例を示す図である。
【図１２】本発明の一実施例における番組検索画面の第８例を示す図である。
【図１３】本発明の一実施例における番組検索画面の第９例を示す図である。
【発明を実施するための形態】
【００１０】
以下、本発明の実施例につき図面を用いて説明する。
図１は、本発明の一実施例における記録装置のブロック図である。
図２は、本発明の一実施例で用いるリモコンの平面図である。図１と図２を関連付けながら、特に図１に示した記録装置の動作に重点をおいて述べる。
【００１１】
図１において、放送局から送信された放送信号は、記録装置の外部に備えられたアンテナ１Ａとアンテナ１Ｂを介してチューナ２Ａと２Ｂに供給される。ここではアンテナとチューナが二つある例を示しているが、これは本発明の限定条件ではない。一つであっても良く、三つ以上あっても良い。周知のとおり、これらを二つ以上有していれば、現在視聴中の番組以外の番組を記録部に記録することができる。チューナ２Ａ、２Ｂの各々が地上ディジタル放送、ＢＳ放送、ＣＳ放送のチューナのうち複数を有しても良い。また、アンテナ１Ａが地上放送用アンテナであり、アンテナ１ＢがＢＳやＣＳ放送用アンテナであるならば、アンテナ１Ａとアンテナ１Ｂで受信した放送信号を混合して、チューナ２Ａと２Ｂの双方に供給しても良い。
【００１２】
チューナ部２Ａまたは２Ｂで、ユーザが望む放送チャンネルが選択される。選択されるチャンネルは、ユーザがたとえばリモートコントローラ（以下、リモコンと略記する）２０を操作することで発生された選択指令を、赤外線により受光部５へ送り、これに基づきＣＰＵ（central Processing Unit；以下、制御部と称することがある）４がチューナ２Ａまたは２Ｂを制御することで決められる。図２に一例を示したように、ユーザが操作するリモコン２０は、複数の放送のうち一つを選択する放送選択スイッチ２０Ｂ（一例として３個）と、一つのチャンネルを選択するチャンネル選択スイッチ２０Ｃ（一例として１２個）及び２０Ｄ２（順次送り式）を有している。これらの選択スイッチをユーザが操作することにより、赤外線発生器を含むリモコン送信部２０１から選択情報が発信され、先の受光部５で受信される。なお、電源スイッチ２０Ａ１は図１の記録装置の電源をＯＮ／ＯＦＦするためのスイッチであり、２０Ｄ１は音量調整用のスイッチである。
【００１３】
チューナ２Ａと２Ｂが同等の受信機能を持つ場合に、いずれを使用して放送を受信するかに関しては、ＣＰＵ４により決定される。選択されたチャンネルの放送受信信号は、復調器３に供給され、ここで伝送のために施された変調方式に応じて復調され、また伝送中に発生した誤りが訂正された後、制御部４が含む信号処理部４Ａに供給される。
信号処理部４Ａにおいて、放送局で秘匿性を高めるために施された暗号が復号される。さらに、ＥＰＧに代表される例えば今後１週間分の放送予定と放送内容を含む番組情報が放送受信信号から分離され、電子番組情報管理部４Ｂに供給される。電子番組情報管理部４Ｂに供給された番組情報は、番組検索管理部４Ｃ、さらには予約管理部４Ｄへ供給されて例えば録画予約をするために使用されるが、これについては後に詳しく述べる。
【００１４】
信号処理部４Ａで復号化された放送受信信号のうち、映像情報は映像処理部５に供給される。映像情報は映像処理部５が有するＭＰＥＧデコーダにおいて、放送局で施されたＭＰＥＧ（Moving Picture Experts Group）によるデータ圧縮が解除されて伸張され、表示のための三原色信号となって映像表示部６に与えられる。また、この映像情報に伴う音声情報は音声処理部７に供給される。音声情報は音声処理部７が有する音声デコーダにおいて、放送局で施されたデータ圧縮が解除されて伸張され、基底帯域の音声信号となってスピーカ８に供給される。ユーザは映像表示部６に表示された映像とスピーカ８から出力された音声により、選択した番組を視聴することができる。
なお、映像処理部５は、信号処理部４Ａ、電子番組情報管理部４Ｂ、番組検索管理部４Ｃにおいて後記するように生成される映像情報に対しては、前記したデータ圧縮を解除する動作をせずに通過させる。
【００１５】
一方、信号処理部４Ａから出力された放送受信信号は、放送受信信号を記録媒体へ記録するためのＨＤＤ（Hard Disk Drive）処理部９へも供給されている。この放送受信信号は、映像処理部５や音声処理部６に供給される信号と同じこともあり、異なることもある。互いに異なる場合は、所謂裏番組記録を行う場合であり、いずれか一方がチューナ２Ａで受信された信号であり、残る一方はチューナ２Ｂで受信された信号となる。図１では、放送受信信号を記録するための記録媒体として、固定式の内蔵ＨＤＤ１０と、取外しできるカセットＨＤＤ１１の双方を有する例が示されている。
ＨＤＤ処理部９では放送受信信号に対して、記録媒体へ記録するに適したエラー訂正符号の付加と記録符号化が行われる。その後、放送受信信号はＨＤＤ１０または１１に記録される。このためのユーザからの指令は、図２で示したリモコン２０のＨＤＤ操作スイッチ２０Ｋ（一例として７個のスイッチを有する）をユーザが操作することにより発生される。
【００１６】
図１のＣＰＵ４は一例として、ＲＯＭ（Read Only Memory）４Ｅ、ＲＡＭ（Random Access Memory）４Ｆ、フラッシュメモリをはじめとする不揮発メモリ４Ｇを含んだ例を示している。もちろん、これらのうちいくつかのメモリがＣＰＵ４に外付けされていても良い。ＲＯＭ４Ｅには、例えばＣＰＵ４を動作させるための基本ソフトウェアや常時使用されるアプリケーションソフトウェアが格納される。ＲＡＭ４Ｆは、例えば動作中の状態を示す情報を一時的に格納するために使用される。不揮発メモリ４Ｇには、後記するようなＥＰＧに係る情報のように、電源を切断されても保持されるべき情報が格納される。
半導体デバイスの高集積化に伴い、ＣＰＵ４を構成する半導体デバイスに、映像処理部５、音声処理部７、ＨＤＤ処理部９がともに集積されても良い。
【００１７】
図１の外部入力端子１Ｃは、例えば３個の外部入力を受入れる端子であり、ケーブルテレビをはじめとする有線系のテレビ放送の入力端子であっても良く、アナログ入力端子であっても良い。このほかにも、最近普及してきたＬＡＮ（Local Access Network）端子１Ｄ、ＨＤＭＩ（High Definition Multimedia Interface）端子１Ｅ、ＳＤ（Secure Digital）メモリカードをはじめとするカード接続端子１Ｆを備えていても良い。映像表示部６に表示する映像信号として、先のアンテナ１Ａ、１Ｂから入力された放送受信信号や端子１Ｃ，１Ｄ，１Ｅ，１Ｆのいずれの信号を選択するかに関しては、図２のリモコン２０における入力切換スイッチ２０Ａ１を、ユーザが操作することにより決定される。
【００１８】
なお、図１において記録装置は映像表示部６を有しているが、映像表示部を有さない記録装置であっても本発明の範疇にある。その場合、映像表示部は記録装置の外部に接続された別な表示装置として機能する。
図２に示した番組表スイッチ２０Ｅは信号処理部４Ａで分離された番組情報（ＥＰＧ）を映像表示部６に表示させるためのスイッチであり、メニュースイッチ２０Ｉ１は例えば映像表示部６での画質調整を行うためのスイッチであり、“見る”スイッチ２０ＧはＨＤＤ１０または１１に記録された番組の一覧表を表示させるためのスイッチである。“戻る”スイッチ２０Ｉ２は例えばユーザがリモコン２０の操作を誤った際に、一つ前の状態に戻すためのスイッチである。このほか、検索スイッチ２０Ｆ、操作スイッチ２０Ｈ、ソフトキー２０Ｊについては、図４以降の図面を説明する際に述べる。
【００１９】
次に、電子番組情報管理部４Ｂ、番組検索管理部４Ｃ、予約管理部４Ｄの動作について詳しく述べる。
図３は、本発明の一実施例における記録装置の制御部の部分ブロック図である。
信号処理部４Ａで分離された放送予定と放送内容を含む番組情報は、電子番組情報管理部４Ｂに供給される。ここでは、ユーザに分かり易い表示形式で映像表示部６に表示されるように、番組情報に対して表示フォーマットが与えられる。先の番組表スイッチ２０Ｅをユーザが操作することにより、番組情報は前記表示フォーマットで映像処理部５を介して映像表示部６に表示される。
【００２０】
次いで、信号処理部４Ａで分離された放送予定と放送内容を含む番組情報は、番組検索処理部４Ｃにも供給される。ユーザが録画予約を行う際には、リモコン２０から番組検索処理部４Ｃに対して、例えばチャンネル選択スイッチ２０Ｃを利用して入力した平仮名文字情報や、アルファベット文字情報が伝達される。また操作スイッチ２０Ｈやソフトキー２０Ｊからの指令も伝達される。前記文字情報には、例えば番組情報が含むことが予想されるキーワードや出演者に係る情報が含まれる。前記指令には、例えば録画予約する番組のジャンルに係る情報や録画予約のための指示が含まれる。
【００２１】
これらの情報に基づき番組検索処理部４Ｃは、供給された番組情報を参照して、例えば前記キーワードや出演者がある放送番組の番組情報に含まれていた場合には、その番組を録画予約の候補とし、番組検索処理部４Ｃが備える所定の表示フォーマットで検索結果を映像処理部５を介して映像表示部６に表示する。ジャンルが指定された場合には、指定されたジャンルとの例えばＡＮＤ条件やＯＲ条件を満たす番組を録画予約の候補とする。必要に応じて、番組検索処理部４Ｃで検索したままの状態で自動録画する番組と、これとは異なる状態で（例えば番組検索処理部４Ｃで検索せずに予約し、或いは番組検索処理部４Ｃでの設定を編集し例えば開始時間を変更した状態で）録画予約する番組を区別できるような表示を行う。
【００２２】
前記指令により録画予約が指示された場合には、その番組に係る情報が番組検索処理部４Ｃから予約管理部４Ｄに供給される。ユーザが録画予約中の番組を一覧表示するよう、後記するソフトキー２０Ｊを操作して指示した場合には、予約管理部４Ｄは前記番組検索処理部４Ｃが備える所定の表示フォーマットに収まるような表示フォーマットを作成して、映像処理部５を介して映像表示部６に録画予約中の番組の一覧表を表示する。また、いずれかの番組の記録を開始或いは終了する時刻となった場合には、ＨＤＤ処理部９に指示して番組の記録を開始、或いは終了させる。
ユーザは、予約管理部４Ｄが映像表示部６に表示した画面を参照して、記録する条件の変更や録画予約の解除を行う。或いは、番組検索処理部４Ｃで録画予約の候補としてあがらなくともユーザが先見的に知っている放送番組があれば、これを追加する。これにより、ユーザが不要とする番組が記録され、或いはユーザが期待する番組が脱落するような不都合が解消される。また、例えば番組に応じて記録時のデータ圧縮率を変更することにより、記録媒体を有効利用することができる。
【００２３】
以上述べたようにすることで、番組情報を参照し例えばキーワードを用いて録画予約する番組を検索する際に、番組検索処理部４Ｃが番組を検索して録画予約するだけでなく、予約管理部４Ｄの作用により、番組検索を行った際の表示画面から録画予約された番組をユーザが確認できることを、本発明の一つの特徴としている。このため、前記した問題は解消され、使い勝手の向上に寄与することができる。また、録画予約された番組をユーザが確認する際に、記録する際の条件を変更し、記録が不要な番組を削除し、或いは期待する番組を追加するような編集機能を有することも、本発明の一つの特徴としている。さらには、録画予約された番組をユーザが確認したうえで録画予約を実行するよう指示することを、本発明の一つの特徴としている。
以上の事項につき、映像表示部６に実際に表示される画面の例を示して、さらに詳しく説明する。
【００２４】
図４は、本発明の一実施例における番組検索画面４０の第１例を示す図であり、ユーザがリモコン２０の検索スイッチ２０Fを操作することに応じて、番組検索処理部４Ｃが図４で示すような表示画面を生成して映像表示部６に表示する。
画面内には多くのアイコンが表示される。そのうち“おすすめ”アイコン４１Ａは、記録装置における過去の録画履歴または視聴履歴とＥＰＧの番組情報を参照しながら、録画予約する番組を記録装置が選択する場合に使用される。また、“放送局の注目番組”アイコン４１Ｂは、放送局が特にユーザの注目を期待する番組を、録画予約する放送番組として選択する場合に使用される。本実施例においては、これら二つのアイコン４１Ａと４１Ｂについては詳しい説明を省略し、ユーザが自分の嗜好に合った番組を録画予約する場合に重点を置いて説明する。
【００２５】
ユーザが自分の嗜好に合った番組を録画予約する場合には、ユーザが操作スイッチ２０Ｈを操作して“詳しくさがす”アイコン４１Ｃを選択する。図中では斜線を付して該当するアイコンが選択されたことを示す。
同じ表示画面内には一例として、４２Ａ〜４２Ｇ、４３Ａ〜４３Ｇ（内４３Ａ〜４３Ｅは図面の煩雑化を避けるため符号を省略する）、４４Ａ〜４４Ｅ及び４５Ｃで示されるアイコンも表示されている。デフォルトで“ジャンル”アイコン４２Ａ、ジャンルとして“映画”アイコン４３Ａ、さらに“全ての映画”アイコン４４Ａが選択されているが、ユーザが操作スイッチ２０Ｈを操作すれば、他のアイコンを選択することができる。図４の状態でユーザがリモコン２０の操作スイッチ２０Ｈで右選択または決定キー押下すると、“全ての映画”を対象に検索したうえで既に録画予約されている番組の一覧表が表示される。即ち、番組検索の画面から直ちに録画予約した番組を確認し、必要に応じて内容を編集することができる。
【００２６】
アイコン４２Ｄ〜４２Ｇの左端には四角形のチェックボックスが付されている。該当するアイコンに基づき、後記した方法でユーザが録画予約の実行を指示するとチェックボックス内にチェックマークが付けられる。例えば“新国内ドラマ”アイコン４２Ｄにチェックが入った状態では、新番組の国内ドラマが録画予約されている。“お好み／Ａ子”アイコン４２Ｇにチェックが入った状態では、該当する名前のタレントがＥＰＧの番組情報に記された番組が録画予約されている。また、“ユーザＡ”アイコン４２Ｆにチェックが入った状態では、予めユーザＡ（あるユーザを意味し、個人名であっても良い）が不揮発メモリ４Ｇに登録した自分の嗜好に合った番組が録画予約されている。
後記するように、ユーザがリモコン２０の操作スイッチ２０Ｈを操作して“ユーザＡ”アイコン４２Ｆを選択し、さらにリモコン２０の操作スイッチ２０Ｈを操作すると、ユーザＡの嗜好に応じて録画予約された番組の一覧表が番組検索画面４０の中に表示され、ユーザＡは予約の内容の編集、削除や追加を行うことができる。
【００２７】
なお、同じ表示画面内には記録装置の記録モードや検索範囲が表示されている。前者は受信したトランスポートストリームに対し何倍のデータ圧縮をして記録するかを示しており、後者は番組検索の対象とする放送を示している。図示の場合、２４倍のデータ圧縮を行って記録し、地上ディジタル放送とＢＳ放送を検索の対象とすることを示している。放送されたとおりの画質で視聴するためには、データ圧縮を行わずに記録することが望ましいが、本実施例の場合は一度に多数の番組が録画予約される可能性があるため、記録媒体の記録容量を考慮して適量なデータ圧縮を行うことが望ましい。データ圧縮率と検索範囲の設定は、ユーザがリモコン２０を使って行うことができるが、ここでは詳しい説明を省略する。
【００２８】
次に、“ユーザＡ”アイコン４２Ｆに係り、ユーザＡの番組に対する嗜好を登録する方法について説明する。
図５は、本発明の一実施例における番組検索画面の第２例を示す図であり、図４の検索画面に対してユーザが操作スイッチ２０Hを操作して“ユーザＡ”アイコン４２Ｆを選択した場合の検索画面を示している。表示スペース４６には、ユーザＡが予め登録した自分の嗜好を反映した番組のジャンルや出演者が示される。これらを最初に登録する方法については以下で述べる方法と同じであるので、ここでは記載を省略する。
【００２９】
図５の状態で“削除”表示４５Ｂが示すとおり、ユーザがリモコン２０のソフトキー２０Ｊのうちで赤色のキーを操作すると、アイコン４２Ｆの下に登録された検索条件は削除される。また、“自動録画設定”表示４５Ａが示すとおり、ユーザがリモコン２０のソフトキー２０Ｊのうちで青色のキーを操作すると、アイコン４２Ｆで規定された検索条件に基づいて検索された番組について録画予約が行われ、アイコン４２Ｆ内のチェックボックスにチェックが付される。
【００３０】
次に、“編集”表示４５Ｄが示すとおり、ユーザがリモコン２０のソフトキー２０Ｊのうちで黄色のキーを操作し、アイコン４２Ｆで規定された検索条件を編集する場合について説明する。
図６は、本発明の一実施例における番組検索画面の第３例を示す図であり、図５の検索画面に対してユーザがリモコン２０のソフトキー２０Ｊのうちで黄色のキーを操作した場合の検索画面を示している。新たに、“ジャンル選択”アイコン４７Ａをはじめとして、一例として４７Ａ〜４７Ｆの６個のアイコンが示されている。ここでは、ユーザがリモコン２０の操作スイッチ２０Ｈを操作して、“ジャンル選択”アイコン４７Ａを選択したとする。
【００３１】
図７は、本発明の一実施例における番組検索画面の第４例を示す図であり、図６の検索画面に対してユーザが“ジャンル選択”アイコン４７Ａを選択した場合の検索画面を示している。例えば図４でも示されていたように、“映画”アイコン４３Ａをはじめとして、一例として４３Ａ〜４３Ｇの７個のアイコンが示されている。ここでは、ユーザがリモコン２０の操作スイッチ２０Ｈを操作して、“バラエティ”アイコン４３Ｃを選択したとする。
これに伴いバラエティのジャンルに含まれる各分野を示すアイコンとして、例えば４８Ａ〜４８Ｇで示した７個のアイコンが示されている。ここでは、ユーザがリモコン２０の操作スイッチ２０Ｈを操作して、“お笑い”アイコン４８Ｅを選択したとする。
【００３２】
図８は、本発明の一実施例における番組検索画面の第５例を示す図であり、図７の検索画面に対してユーザが“お笑い”アイコン４８Ｅを選択した場合の検索画面を示している。ここではユーザの嗜好に合った出演者を選択するための画面が示されている。もちろん図６において、“出演者選択”アイコン４７Ｂを操作しても同様の画面が表示される。したがい、図７において、“お笑い”アイコン４８Ｅを操作した後、図６の画面を経由して図８の画面が表示されても良い。
図８では、出演者の姓の頭文字（平仮名）を示すアイコン４９Ａ〜４９Ｇが示されている。なお、“や行”以下は、ユーザがリモコン２０のチャンネル選択スイッチ２０Ｄ２を操作することにより、現在表示されているアイコンと入れ替えて表示される。ここでは、ユーザがリモコン２０の操作スイッチ２０Ｈを操作して、“篠井杏子”アイコン５０Ｄを選択したとする。これに伴い、表示スペース４６にも新たに加えられた検索のためのジャンルと出演者が追加で表示される。その後、表示画面は一例として図９で示すような表示画面に遷移する。
【００３３】
図９は、本発明の一実施例における番組検索画面の第６例を示す図であり、これまで検索条件に登録したジャンルや出演者を示すアイコン５１Ａ〜５１Ｄと、“新規キーワード登録”アイコン５１Ｅが表示されている。ユーザがさらに新しいキーワードを登録するために、リモコン２０の操作スイッチ２０Ｈを操作して“新規キーワード登録”アイコン５１Ｅを選択すると、表示画面は一例として図１０で示すような表示画面に遷移する。
【００３４】
図１０は、本発明の一実施例における文字入力画面の例を示す図である。ユーザはキー表示５０１Ａ〜５０１Ｌを参照しながらリモコン２０のチャンネル選択スイッチ２０Ｃを操作して、文字入力ボックス５００に新規キーワードを入力する。ここでは、番組情報に登場することが予想される人物の名前が登録されたとする。もちろん、平仮名入力を漢字に変換しながら登録されも良い。入力を訂正する時、 “戻る”表示５０２Ｂが示すようにユーザはリモコン２０の“戻る”スイッチ２０Ｉ２を操作して、直前に入力した文字を削除して入力し直す。
入力が終了した際は、“決定”表示５０２Ａが示すようにユーザはリモコン２０の操作スイッチ２０Ｈの中央にある決定ボタンを操作して、記録装置に入力の終了を知らせる。その後、表示画面は一例として図１１で示すような表示画面に遷移する。
【００３５】
図１１は、本発明の一実施例における番組検索画面の第７例を示す図であり、図９で示した検索画面のアイコン５１Ｅに対して新たなキーワードが割り当てられ、さらなる“新規キーワード登録”アイコン５１Ｆが追加されている。表示スペース４６にも新たなキーワードが追加されている。
以上のようにユーザＡの嗜好に合ったジャンル、出演者、キーワードが定められ、不揮発メモリ４Ｇへの登録が終了すると、表示画面は一例として図１２で示すような表示画面に遷移する。
【００３６】
図１２は、本発明の一実施例における番組検索画面の第８例を示す図であり、例えばユーザＡの嗜好に合うよう定められたジャンル、出演者、キーワードを用いて番組検索を行う際に、これらのＡＮＤの条件で検索するよう指定するためのアイコン５２Ａと、ＯＲの条件で検索するよう指定するためのアイコン５２Ｂが示されている。もちろん、ＡＮＤとＯＲをおり混ぜた複雑な検索式を設定できるようにしても良い。ここでは、ユーザがリモコン２０のチャンネル選択スイッチ２０Ｃを操作して、アイコン５２Ｂを選択したとする。
以上のようにして番組検索のための条件が決定された後、表示画面は一例として図１３で示すような表示画面に遷移する。
【００３７】
図１３は、本発明の一実施例における番組検索画面の第９例を示す図であり、前記決定された番組検索の条件に基づき、番組検索処理部４Ｃが各番組の番組情報を参照して検索して得た結果を示している。検索して得た番組は表示スペース５３Ａ〜５３Ｆに日付、放送開始時間、放送チャンネル、タイトルとともに表示されている。なお、さらに多数の番組を得た場合には、ユーザがリモコン２０のチャンネル選択スイッチ２０Ｄ２を操作することにより、現在表示されている番組と入れ替えて表示される。表示スペース５３Ａ〜５３Ｆの表示フォーマットは予約管理部４Ｄが定めるが、その際、番組検索処理部が定める番組検索画面の表示フォーマットに収まるように定めている。
ユーザが操作スイッチ２０Ｈにより、５３Ａ〜５３Ｆのいずれかの表示スペースを選択すると、例えば記録開始時刻の変更をはじめとして、予約内容の変更をすることができる。このような変更を施されていない番組には、表示スペース５３Ａ〜５３Ｆの先頭に例えば“○”が付されている。変更が施された番組には例えば“−”が付されている。このようにすれば、記録装置により自動検索されたままの予約内容であるか否かをユーザが確認することができる。
これまでも述べたとおり、図４から図１２で示した表示画面は、番組検索処理部４Ｃで生成されるのに対して、図１３で示した表示画面は予約管理部４Ｄで生成される。
【００３８】
本実施例では以上で述べたように、ユーザは番組検索条件を設定する画面から容易に予約された番組を確認することが出来る。このため、設定した検索条件によって予約された番組がユーザの期待に沿った番組であるか否かを、容易に確認することができる。予約内容の編集、削除や追加についても、同様にして容易に行うことができる。また、録画予約された番組をユーザが確認したうえで録画予約を実行するよう指示することができるという特徴がある。
ここまで示した実施形態は一例であって、本発明を限定するものではない。本発明の趣旨に基づきながら異なる実施形態を考えられるが、いずれも本発明の範疇にある。
【符号の説明】
【００３９】
１Ａ，１Ｂ：アンテナ、２Ａ，２Ｂ：チューナ、３：復調器、４：ＣＰＵ、４Ａ：信号処理部、４Ｂ：電子番組情報管理部、４Ｃ：番組検索処理部、４Ｄ：予約管理部、４Ｇ：不揮発メモリ、５：映像処理部、６：映像表示部、７：音声処理部、８：スピーカ、９：ＨＤＤ処理部、１０：内蔵ＨＤＤ，１１：カセットＨＤＤ、２０：リモコン、２０Ｈ：操作スイッチ、２０Ｊ：ソフトキー。
【図１】
2012195637.tif 000003
【図２】
2012195637.tif 000004
【図３】
2012195637.tif 000005
【図４】
2012195637.tif 000006
【図５】
2012195637.tif 000007
【図６】
2012195637.tif 000008
【図７】
2012195637.tif 000009
【図８】
2012195637.tif 000010
【図９】
2012195637.tif 000011
【図１０】
2012195637.tif 000012
【図１１】
2012195637.tif 000013
【図１２】
2012195637.tif 000014
【図１３】
2012195637.tif 000015